(57)【要約】      （修正有）【課題】足場を構成する支柱や梁などの部材へのシートの取付け作業や取外し作業を一層スムーズ且つ容易に行うことができ、また、耐久性も向上させることができるシート止め具を提供する。【解決手段】足場を構成する部材（単管パイプ）にシート（養生シート）を取り付けるためのシート止め具１０であって、一本の弾性を有する線材１１で略８の字形状に形成され、該略８の字形状の一方の大径リング部１４に線材１１の両端部１２、１３による切れ目１５が形成され、線材１１の両端部１２、１３に、互いを係止可能とする係止部１８、１９が形成されている。【選択図】図１
0003229772.tif 000002
【実用新案登録請求の範囲】
【請求項１】
足場などを構成する部材にシートを取り付けるためのシート止め具であって、
一本の弾性を有する線材で略８の字形状に形成され、
該略８の字形状の一方の大径リング部に前記線材の両端部による切れ目が形成され、
前記線材の両端部に、互いを係止可能とする係止部が形成されていることを特徴とするシート止め具。
【請求項２】
他方の小径リング部の直径が、人間の指一本を挿し込み可能な大きさに設定されていることを特徴とする請求項１記載のシート止め具。
【請求項３】
前記線材の両端部が、前記大径リング部のリング面に対して上下方向に離して配設されていることを特徴とする請求項１又は請求項２記載のシート止め具。
【請求項４】
前記係止部が、前記線材の両端部を折り曲げて略Ｖ字形状に形成されたものであることを特徴とする請求項１〜３のいずれかの項に記載のシート止め具。
【考案の詳細な説明】
【技術分野】
【０００１】
本考案はシート止め具に関し、より詳細には、仮設足場の周囲に養生シートを取り付ける場合などに使用することのできるシート止め具に関する。
【背景技術】
【０００２】
建設工事現場などで組まれる仮設足場の外周には、事故の予防や防護のために養生シートが張られている。養生シートの周縁部には、紐や針金を通すための孔、いわゆる鳩目孔が所定間隔に設けられており、養生シートは、これら鳩目孔に通した紐や針金によって、仮設足場の支柱や梁にとりつけられていた。しかしながら、養生シートを仮設足場に紐や針金で取り付ける作業は非常に時間と手間がかかるものであり、また、紐や針金の結び付けられ方が不十分であると、強風時などに外れてしまいやすいという課題があった。
【０００３】
そこで、係る課題に鑑み、下記の特許文献１には、仮設足場に養生シートを簡単かつ確実に取り付けられること、また容易に取り外せることを目的とした止め具が開示されている。また、下記の特許文献２にも、同様の機能を有する管・シート結合具が開示されている。
【０００４】
図６（ａ）は、特許文献１記載の止め具を足場の柱に嵌め込んだ状態を示す部分断面平面図であり、（ｂ）は、止め具を足場の柱に止め付けた状態を示す部分断面平面図である。
止め具５０は、切れ目５６を有する略Ｃ字状の環状体５２を含んで構成されている。この環状体５２は、丸線状の弾性体で構成されている。また、環状体５２の切れ目５６を挟んで対向した両端部には、互いに係止するためのフック部５２ａ、５２ｂが形成されている。フック部５２ａ、５２ｂには、それぞれ保護キャップ５４ａ、５４ｂが嵌め込まれている。
【０００５】
止め具５０を足場の柱６０に取り付ける場合、まず、止め具５０は、養生シートであるカバー本体６２に設けられた鳩目６６の鳩目孔６４に挿通されて、カバー本体６２に取り付けられる。次に、止め具５０は、環状体５２の切れ目５６の間隔が少なくとも足場の柱６０の直径より拡がるように引っ張り拡げられる。そして、止め具５０は、引っ張り拡げられた切れ目５６を通して、足場の柱６０に嵌め込まれる。嵌め込まれた止め具５０は、環状体５２の復元力により、切れ目５６を挟んで対向したフック部５２ａ、５２ｂが互いに近づく方向へ付勢され、元の形状に戻る（図６（ａ）に示す状態）。
【０００６】
次に、図６（ｂ）に示すように、止め具５０は、環状体５２の切れ目５６を挟んで対向したフック部５２ａ、５２ｂが交差するまで環状体５２が押し縮められた後、両端部のフック部５２ａ、５２ｂが互いに係止されて閉環される。こうして、止め具５０は、足場の柱６０に巻き付くようして、カバー本体６２とともに止め付けられる。
【０００７】
止め具５０を外す場合、まず、フック部５２ａ、５２ｂの係止が解かれる状態にまで、止め具５０の環状体５２を押し縮めた後、フック部５２ａ、５２ｂを上下方向に離しながらフック部５２ａ、５２ｂの係止を解除する。フック部５２ａ、５２ｂの係止が解かれた止め具５０は、弾性体からなる環状体５２の復元力により、元の形状に戻る（図６（ａ）に示す状態）。次に、止め具５０は、切れ目５６の間隔が引っ張り拡げられて、引っ張り拡げられた切れ目５６を通して、止め具５０は足場の柱６０から外し取られるようになっている。
【０００８】
［考案が解決しようとする課題］
上記した止め具５０は、１つの環状体５２で構成されている。そのため、足場の柱６０への取り付け時や取り外し時に、弾性体からなる環状体５２を指で摘まんで、環状体５２の切れ目５６を素早く引っ張り拡げたり、押し縮めたりする操作が容易であるとはいえず、また、指に想定以上の力を加えなければならず、取り扱いにくいという課題があった。
また、環状体５２の切れ目５６を引っ張り拡げたり、押し縮めたりする際に、一つの環状体５２の一部分（中央部）に曲げ応力が集中しやすいため、繰り返しの使用により金属疲労が蓄積しやすく、耐久性に劣るという課題もあった。
【先行技術文献】
【特許文献】
【０００９】
【特許文献１】特開平８−４３１４号公報
【特許文献２】特許第４９２８０１２号公報
【考案の概要】
【課題を解決するための手段及びその効果】
【００１０】
本考案は上記課題に鑑みなされたものであって、足場を構成する支柱や梁などの部材へのシートの取付け作業や取外し作業を一層スムーズ且つ容易に行うことができ、また、耐久性も向上させることができるシート止め具を提供することを目的としている。
【００１１】
上記目的を達成するために本考案に係るシート止め具（１）は、
足場などを構成する部材にシートを取り付けるためのシート止め具であって、
一本の弾性を有する線材で略８の字形状に形成され、
該略８の字形状の一方の大径リング部に前記線材の両端部による切れ目が形成され、
前記線材の両端部に、互いを係止可能とする係止部が形成されていることを特徴としている。
【００１２】
上記シート止め具（１）によれば、一本の弾性を有する線材で略８の字形状に形成され、該略８の字形状の一方の大径リング部に前記線材の両端部による切れ目が形成されている。
この構成により、前記８の字形状の交差位置を変化させながら、前記大径リング部を開閉させることが可能となり、前記大径リング部の弾力性を高めることができる。
したがって、前記部材に前記大径リング部を嵌め込む場合には、前記大径リング部の前記切れ目を形成する前記両端部を少ない力で楽に拡げることができる。また、前記大径リング部を前記部材に嵌め込んだ後、前記線材の両端部に形成された前記係止部を互いに係止させる操作や前記係止部の係合を解除する操作を少ない力で楽に行うことができる。また、前記略８の字形状の他方のリング部には、作業者の指を少なくとも１本以上挿し込むことが可能となり、取り扱い性を高めることができる。したがって、前記部材への前記シートの取付け作業や取外し作業を一層スムーズ且つ容易に行うことができる。
また、前記大径リング部を開閉する際に前記線材に発生する応力が、前記８の字形状により分散されるので、前記線材の一部分に応力が集中することがなく、前記線材の疲労や劣化を抑制でき、シート止め具の耐久性を向上させることができる。
【００１３】
また本考案に係るシート止め具（２）は、上記シート止め具（１）において、
他方の小径リング部の直径が、人間の指一本を挿し込み可能な大きさに設定されていることを特徴としている。
【００１４】
上記シート止め具（２）によれば、他方の小径リング部の直径が、人間の指一本を挿し込み可能な大きさに設定されているので、嵩張ることのない、コンパクトな小型サイズにすることができる。なお、前記大径リング部の直径は、例えば、前記部材の直径よりも大きく設計されることにより、前記大径リング部を前記部材に確実に嵌め込むことが可能となる。
また、前記大径リング部を前記部材に嵌め込む際、前記小径リング部に指を１本挿し込んだ状態で、前記大径リング部の前記係止部を前記部材に押し込むことが可能となり、前記部材に前記大径リング部を極めて簡単に嵌め込むことができる。
また、前記係止部の係合を解除した後、前記部材から前記大径リング部を取り外す際、前記小径リング部に指を１本挿し込んで、前記部材から前記大径リング部を極めて簡単に引き抜くことが可能となる。このように、前記小径リング部に指を１本差し込んで使用することにより、前記部材への前記シートの取り付け作業や取り外し作業をより一層スムーズ且つ容易に行うことができ、作業の効率を高めることができる。
【００１５】
また本考案に係るシート止め具（３）は、上記シート止め具（１）又は（２）において、
前記線材の両端部が、前記大径リング部のリング面に対して上下方向に離して配設されていることを特徴としている。
【００１６】
上記シート止め具（３）によれば、前記線材の両端部が、前記大径リング部のリング面に対して上下方向に離して配設されているので、前記大径リング部を前記部材に嵌め込む際に、前記線材の両端部を前記上下方向にも容易に拡げることが可能となり、前記部材への取付け作業を一層容易に行うことができる。
また、前記係止部の係合を解除して、前記部材から前記大径リング部を取り外す際に、前記係止部の係合が解かれる状態にまで、前記大径リング部を押し縮めると、前記大径リング部の復元力が作用して、前記線材の両端部が自然に上下方向にも離れていく復元力が作用することとなる。そして、前記大径リング部を押し縮める力を解放すると、前記係止部が再び係止されることなく斜め上下方向に離れていき、前記切れ目を有するもとの状態に戻る。したがって、前記部材からの取外し作業も一層容易に行うことができる。
【００１７】
また本考案に係るシート止め具（４）は、上記シート止め具（１）〜（３）のいずれかにおいて、前記係止部が、前記線材の両端部を折り曲げて略Ｖ字形状に形成されたものであることを特徴としている。
【００１８】
上記シート止め具（４）によれば、前記係止部が、前記線材の両端部を折り曲げて略Ｖ字形状に形成されたものであるので、前記係止部どうしを互いにしっかりと係合させることができる。
【図面の簡単な説明】
【００１９】
【図１】（ａ）は、本考案の実施の形態に係るシート止め具を示した斜視図であり、（ｂ）は、（ａ）をｂ方向から見た側面図であり、（ｃ）は、（ａ）をｃ方向から見た正面図である。
【図２】実施の形態に係るシート止め具の形状変化を説明するための平面図である。
【図３】実施の形態に係るシート止め具を用いて養生シートが単管パイプに取り付けられた状態を示す部分断面平面図である。
【図４】実施の形態に係るシート止め具を用いて養生シートが足場の単管パイプに取り付けられた状態を示す正面斜視図である。
【図５】実施の形態に係るシート止め具の回収方法の一例を示す図である。
【図６】（ａ）は、従来の止め具を足場の柱に嵌め込んだ状態を示す部分断面平面図であり、（ｂ）は、止め具を足場の柱に止め付けた状態を示す部分断面平面図である。
【考案を実施するための形態】
【００２０】
以下、本考案に係るシート止め具の実施の形態を図面に基づいて説明する。
実施の形態に係るシート止め具は、例えば、建設工事現場などにおいて、建造物の周囲に組み立てられた足場の外側面に養生シートを配設する際、足場を構成する支柱や梁などの部材、例えば、単管パイプに養生シートを取り付けるときに用いられるものである。
【００２１】
図１（ａ）は、実施の形態に係るシート止め具を示した斜視図であり、（ｂ）は、（ａ）をｂ方向から見た側面図であり、（ｃ）は、（ａ）をｃ方向から見た正面図である。
シート止め具１０は、図１（ａ）に示すように一本の弾性を有する線材１１で略８の字形状に形成され、略８の字形状の一方の大径リング部１４に線材１１の両端部１２、１３による切れ目１５が形成されている。大径リング部１４は、略８の字形状の交差位置１７（一方の大径リング部１４と他方の小径リング部１６との交差位置）を変化させながら開閉可能となっている。さらに、線材１１の両端部１２、１３には、互いを係止可能とする係止部１８、１９が形成されている。
【００２２】
線材１１は、例えば、太さが１．５ｍｍ〜２ｍｍ程度の弾力性を有する鋼線で構成されている。線材１１は、バネ用炭素鋼線等の弾力性に富むものを使用することが好ましく、また、焼き入れ焼き戻しをして弾性力が付与されたステンレス鋼などの鋼線を用いてもよい。線材１１は、金属製に限定されるものではなく、例えば、樹脂製であってもよい。
【００２３】
シート止め具１０を構成する大径リング部１４の直径は、足場を構築する、例えば、単管パイプ（外径４８．１６ｍｍ）の直径よりも大きく（例えば、６０ｍｍ〜８０ｍｍ程度）、小径リング部１６の直径は、大径リング部１４の直径よりも小さく、かつ人間の指を少なくとも１本、より好ましくは指１本を挿し込み可能な大きさ（例えば、２０ｍｍ〜３０ｍｍ程度）に設計されている。大径リング部１４は、係止部１８、１９を互いに係合させた状態で、略円形となるように形成されてもよいし、楕円形となるように形成されてもよい。
【００２４】
シート止め具１０では、図１（ｂ）、（ｃ）に示すように、好ましくは、線材１１の両端部１２、１３に設けられた係止部１８、１９が、一方の大径リング部１４のリング面に対して上下方向に所定間隔（例えば、５ｍｍ〜１５ｍｍ程度）離して配設されるように曲げ加工されている。また、シート止め具１０を側面から見た場合に、大径リング部１４と小径リング部１６とが、直線上に配置されてもよいが、図１（ｂ）に示すように、大径リング部１４と小径リング部１６とが、緩やかな湾曲（円弧）を形成するように曲げ加工されてもよい。
【００２５】
また、係止部１８、１９は、好ましくは、線材１１の両端部１２、１３を折り曲げて略Ｖ字形状に形成されている。
【００２６】
図２は、実施の形態に係るシート止め具１０の形状変化を説明するための平面図である。
図２において、実線で示すシート止め具１０は、大径リング部１４に力を作用させていない状態（Ｓ１）を示しており、線材１１の両端部１２、１３による所定幅の切れ目１５が形成されている。切れ目１５の幅は、好ましくは大径リング部１４が嵌め込まれる単管パイプの直径よりも小さく、例えば、１０ｍｍ〜３０ｍｍ程度に設計され得る。
【００２７】
図２において、破線で示すシート止め具１０は、大径リング部１４の切れ目１５の幅が拡げられた状態（Ｓ２）を示している。大径リング部１４の切れ目１５の幅が拡げられることにより、交差位置１７がＰ１からＰ２に移動するとともに、小径リング部１６の直径（及びリング面積）が状態（Ｓ１）のときよりも小さくなる。状態（Ｓ２）は、例えば、大径リング部１４が単管パイプに嵌め込まれているときの状態である。
【００２８】
図２において、一点破線で示すシート止め具１０は、大径リング部１４の切れ目１５が閉じられて、線材１１の両端部１２、１３の係止部１８、１９が係合された状態（Ｓ３）を示している。大径リング部１４の切れ目１５が閉じられることにより、交差位置１７が、Ｐ１からＰ３に移動するとともに、小径リング部１６の直径（及びリング面積）が状態（Ｓ１）のときよりも大きくなる。状態（Ｓ３）は、例えば、大径リング部１４を単管パイプに嵌め込んだ後に、係止部１８、１９が係合された状態である。
図２に示すように、シート止め具１０では、８の字形状の交差位置１７を変化させながら大径リング部１４を開閉させることが可能となっている。
【００２９】
図３は、実施の形態に係るシート止め具１０を用いて養生シートが単管パイプに取り付けられた状態を示す部分断面平面図である。図４は、実施の形態に係るシート止め具１０を用いて養生シートが足場の単管パイプに取り付けられた状態を示す正面斜視図である。
【００３０】
図３、４に示すように、シート止め具１０を、例えば、足場を構成する単管パイプ３０、３１に取り付ける場合、まず、作業者が、シート止め具１０の小径リング部１６に指（例えば、人差し指）を挿し込んで、小径リング部１６を指で摘まんだ状態で、大径リング部１４の係止部１８、１９（図１、２を参照）を単管パイプ３０、３１の一側面に押し当てながら、押し込む。すると、大径リング部１４の係止部１８、１９の切れ目１５が、単管パイプ３０、３１の外周面に沿って拡がりつつ、大径リング部１４が単管パイプ３０、３１に嵌め込まれて、大径リング部１４は、もとの切れ目１５の幅（図２に示すＳ１の状態）に戻る。なお、単管パイプ３０は、縦方向に配設されたパイプ、単管パイプ３１は、横方向に配設されたパイプを示している。
【００３１】
この状態（大径リング部１４が単管パイプ３０、３１に嵌め込まれた状態）で、次に作業者が、シート止め具１０の係止部１８、１９の少なくとも一方を養生シート４０の鳩目孔４１にそれぞれ挿通して、シート止め具１０の大径リング部１４が養生シート４０に引っ掛けられる。
【００３２】
次に作業者が、シート止め具１０の大径リング部１４を係止部１８、１９が完全に交差するまで指を使って押し縮めた後、該押し縮める力を解放すると、大径リング部１４の復元力により、係止部１８、１９が互いに係合されて、大径リング部１４が閉環される。こうして、図３、４に示すように、シート止め具１０が、足場の単管パイプ３０、３１に巻き付くようして、養生シート４０とともに止め付けられる。なお、足場などでは、図４に示すように、横方向に配設された単管パイプ３１に養生シート４０をシート止め具１０で吊り下げ状態に取り付けた後、縦方向に配設された単管パイプ３０にシート止め具１０を嵌め込み、シート止め具１０に養生シート４０を取り付けることが好ましい。係る手順により取付け作業効率を高めることができる。
【００３３】
シート止め具１０を外す場合、まず、作業者が、係止部１８、１９の係合状態が完全に解かれる状態にまで、指を使って大径リング部１４を押し縮めて、大径リング部１４の先端部分を交差させる。すると、大径リング部１４が横方向に拡がろうとする復元力が作用するとともに、両端部１２、１３が上下方向にも拡がろうとする復元力が作用することとなる。そして、大径リング部１４を押し縮める力を解放すると、係止部１８、１９が再び係止されることなく斜め上下方向に離れていき、大径リング部１４は、もとの切れ目１５の幅を有する状態（図２に示すＳ１の状態）に戻る。
【００３４】
次に、作業者が、シート止め具１０の小径リング部１６に指（例えば、人差し指）を挿し込んで、小径リング部１６を指で摘まんだ状態で、大径リング部１４を単管パイプ３０、３１から引き抜く。すると、両端部１２、１３の係止部１８、１９が、鳩目孔４１から外れ、大径リング部１４の係止部１８、１９が、単管パイプ３０、３１の外周面に沿って拡がり、大径リング部１４が単管パイプ３０、３１から外れる。そして大径リング部１４は、もとの切れ目１５の幅に戻り、シート止め具１０が取り外されることとなる。
【００３５】
なお、図５に示すように、単管パイプ３０、３１から取り外したシート止め具１０は、その小径リング部１６をＵ字形状などの束ね部材２０（針金、フック、紐等でもよい）に通して引っ掛けることにより、複数個のシート止め具１０を束ねた状態で回収したり、収納したりすることが可能となっている。シート止め具１０の小径リング部１６が上記のように使用されてもよい。
【００３６】
実施の形態に係るシート止め具１０によれば、一本の弾性を有する線材１１で略８の字形状に形成され、該略８の字形状の一方の大径リング部１４に線材１１の両端部１２、１３による切れ目１５が形成されている。
この構成により、８の字形状の交差位置１７を変化させながら、大径リング部１４を開閉させることが可能となり、大径リング部１４の弾力性を高めることができる。
したがって、足場を構成する単管パイプ３０、３１に大径リング部１４を嵌め込む場合には、大径リング部１４の切れ目１５を形成する両端部１２、１３を少ない力で楽に拡げることができる。また、大径リング部１４を単管パイプ３０、３１に嵌め込んだ後、両端部１２、１３に形成された係止部１８、１９を互いに係止させる操作や係止部１８、１９の係合を解除する操作を少ない力で楽に行うことができる。また、略８の字形状の他方の小径リング部１６には、作業者の指を少なくとも１本以上挿し込むことが可能となり、取り扱い性を高めることができる。
【００３７】
また、シート止め具１０は、略８の字形状に形成されているので、大径リング部１４を開閉する際に線材１１に発生する応力が、８の字形状により小径リング部１６にも分散されるので、線材１１の一部分に応力が集中することがなく、線材１１の局所的な疲労や劣化を抑制でき、シート止め具１０の耐久性を向上させることができる。
【００３８】
また、シート止め具１０によれば、大径リング部１４の直径が、単管パイプ３０、３１の直径よりも大きいので、大径リング部１４を単管パイプ３０、３１に確実に嵌め込むことができる。また、小径リング部１６の直径が、人間の指一本を挿し込み可能な大きさに設定されている場合は、嵩張ることのない、コンパクトな小型サイズにすることができる。
また、大径リング部１４を単管パイプ３０、３１に嵌め込む際、小径リング部１６に指を１本挿し込んで指で摘まんだ状態で、大径リング部１４の切れ目１５を単管パイプ３０、３１に押し込むことが可能となり、単管パイプ３０、３１に大径リング部１４を極めて簡単に嵌め込むことができる。
また、係止部１８、１９の係合を解除した後、単管パイプ３０、３１から大径リング部１４を取り外す際、小径リング部１６に指を１本挿し込んで、単管パイプ３０、３１から大径リング部１４を極めて簡単に引き抜くことが可能となる。このように、小径リング部１６に指を１本差し込んで使用することにより、単管パイプ３０、３１への養生シート４０の取付け作業や取外し作業をより一層スムーズ且つ容易に行うことができ、作業の効率を高めることができる。
【００３９】
また、シート止め具１０によれば、線材１１の両端部１２、１３の係止部１８、１９が、大径リング部１４のリング面に対して上下方向に離して配設されているので、大径リング部１４を単管パイプ３０、３１に嵌め込む際に、線材１１の両端部１２、１３を上下方向にも容易に拡げることが可能となり、単管パイプ３０、３１への取付け作業を一層容易に行うことができる。
また、係止部１８、１９の係合を解除して、単管パイプ３０、３１から大径リング部１４を取り外す際に、係止部１８、１９の係合が完全に解かれる状態にまで、大径リング部１４を押し縮めて、大径リング部１４の先端部分を交差させる。すると、大径リング部１４の復元力が作用して、両端部１２、１３の係止部１８、１９が自然に上下方向にも拡がろうとする復元力も作用することとなる。そして、大径リング部１４を押し縮める力を解放すると、係止部１８、１９が再び係止されることなく斜め上下方向に離れていき、大径リング部１４は、もとの切れ目１５の幅を有する状態に戻る。したがって、単管パイプ３０、３１からの取外し作業も一層容易に行うことができる。
【００４０】
また、シート止め具１０によれば、係止部１８、１９が、線材１１の両端部１２、１３を折り曲げて略Ｖ字形状に形成されたものであるので、係止部１８、１９どうしを互いにしっかりと係合させることができる。係止部１８、１９の形状は、略Ｖ字形状に限定されるものではなく、Ｕ字形状などの係合可能な他の形状としてもよい。
【００４１】
本発明に係るシート止め具は、上記した実施の形態に限定されることなく種々の変更が可能である。シート止め具１０が取り付けられる部材は、足場を構成する単管パイプ３０、３１以外の柱や梁部材であってもよい。また、シート止め具１０は、養生用以外の用途のシート部材を取り付ける際にも適用することが可能である。
【符号の説明】
【００４２】
１０    シート止め具
１１    線材
１２、１３  両端部
１４    大径リング部
１５    切れ目
１６    小径リング部
１７    交差位置
１８、１９  係止部
２０  束ね部材
３０、３１  単管パイプ
４０  養生シート
４１  鳩目孔
５０  止め具
５２  環状体
５２ａ、５２ｂ  フック部
５４ａ、５４ｂ  保護キャップ
５６  切れ目
６０  柱
６２  カバー本体
６４  鳩目孔
６６  鳩目
【図１】
0003229772.tif 000003
【図２】
0003229772.tif 000004
【図３】
0003229772.tif 000005
【図４】
0003229772.tif 000006
【図５】
0003229772.tif 000007
【図６】
0003229772.tif 000008